(57)【特許請求の範囲】
【請求項１】
残糸付きの紙管を水平に片支持して保持するホルダと、紙管の外径に適合するとともに紙管の外径より大きい内径の開口部を有し、前記ホルダに相対向して配設するブロック体と、前記ホルダ、ブロック体に組み合わせるカッタとを備えてなり、前記ブロック体は、前記ホルダを介して紙管を前記開口部に軸方向に挿入して紙管上の残糸を除去し、前記カッタは、前記ホルダ上の紙管の表面に沿って軸方向に往復駆動することにより、紙管の表面に接触することなく、前記ブロック体と紙管との相対移動によって前記ブロック体の前面に盛り上がる紙管上の残糸の表層部分を切断して残糸の張力による紙管の変形を防止することを特徴とする紙管の残糸除去装置。
【請求項２】
前記ブロック体の前面には、前記カッタを収納する切欠きを形成することを特徴とする請求項１記載の紙管の残糸除去装置。
【請求項３】
前記ホルダは、紙管内に挿入して紙管を片支持する支持部を有することを特徴とする請求項１または請求項２記載の紙管の残糸除去装置。
【請求項４】
前記ホルダは、紙管の内径より大きく、紙管の外径を超えない外径の外フランジを有することを特徴とする請求項３記載の紙管の残糸除去装置。
【発明の詳細な説明】
【０００１】
【発明の属する技術分野】
この発明は、繊維糸を巻き取る紙管上の残糸を速やかに除去処理することができる紙管の残糸除去装置に関する。
【０００２】
【従来の技術】
繊維工業の分野において、紙管上から残糸を円滑に除去するために、各種の残糸除去装置が提案されている。
【０００３】
これらの装置としては、たとえば、紙管上の残糸に対してサクションノズルによるエアサクションを作用させ、残糸を巻きほどくことによって除去するものや、カッタを紙管の軸方向に進行させて紙管上の残糸を切断するもの、熱によって残糸を焼き切って除去するものなどが知られている。
【０００４】
【発明が解決しようとする課題】
かかる第１の従来技術によるときは、残糸は、エアサクションによって糸端を捕捉し、紙管上から順に巻きほどくことによって除去するが、このような手法は、糸端を確実に捕捉することが容易でない上、長い残糸を順に巻きほどいて行くために、残糸の除去処理に過大な時間を要するという問題がある。また、カッタによって残糸を除去する第２の手法は、カッタが紙管の表面に接触して紙管の表面に傷が付くから、紙管を再利用することができず、熱によって残糸を焼き切る第３の手法は、残糸が熱により変質してしまい、残糸を再利用することができないという問題がある。
【０００５】
そこで、この発明の目的は、かかる従来技術の問題に鑑み、ホルダと開口部付きのブロック体とを相対向して配設することによって、紙管上から残糸を短時間のうちに除去することができる上、残糸と紙管との双方を有効に再利用することができる紙管の残糸除去装置を提供することにある。
【０００６】
【課題を解決するための手段】
かかる目的を達成するためのこの発明の構成は、残糸付きの紙管を水平に片支持して保持するホルダと、紙管の外径に適合するとともに紙管の外径より大きい内径の開口部を有し、ホルダに相対向して配設するブロック体と、ホルダ、ブロック体に組み合わせるカッタとを備えてなり、ブロック体は、ホルダを介して紙管を開口部に軸方向に挿入して紙管上の残糸を除去し、カッタは、ホルダ上の紙管の表面に沿って軸方向に往復駆動することにより、紙管の表面に接触することなく、ブロック体と紙管との相対移動によってブロック体の前面に盛り上がる紙管上の残糸の表層部分を切断して残糸の張力による紙管の変形を防止することをその要旨とする。
【０００７】
なお、ブロック体の前面には、カッタを収納する切欠きを形成してもよい。
【０００８】
また、ホルダは、紙管内に挿入して紙管を片支持する支持部を有してもよく、紙管の内径より大きく、紙管の外径を超えない外径の外フランジを有してもよい。
【０００９】
【作用】
かかる発明の構成によるときは、ブロック体は、ホルダと相対向して配設されているから、ホルダを介して紙管を開口部に軸方向に挿入することにより、残糸を紙管から抜き取るようにして、紙管上から除去することができる。また、カッタは、紙管上の残糸の表層部分を切断して、ブロック体によって抜き取る残糸の厚さを最小にすることができ、紙管上の残糸の量に拘らず、それを容易に除去処理することができる。なお、ホルダ、ブロック体は、任意の一方または双方を駆動して紙管をブロック体の開口部に挿入する。また、ブロック体は、紙管の表面の損傷を防止するために、合成樹脂材料から形成することが好ましい。なお、カッタは、紙管の表面に接触せずに、紙管上の残糸が最小となるように残糸を切断するために、紙管の表面から僅かに離してセットするものとする。
【００１０】
回転刃であるカッタは、ホルダ上の紙管の表面に沿って軸方向に往復駆動することにより、ブロック体の前面に厚く盛り上がる残糸を速やかに切断し、残糸の張力による紙管の不用意な変形を有効に防止することができる。
【００１１】
ブロック体に切欠きを形成すれば、ブロック体は、カッタを切欠きに収納することができ、カッタをブロック体の前面に十分近付けて往復移動させ、残糸の切残しを防止することができる。
【００１２】
ホルダに支持部を設けるときは、ホルダは、支持部を紙管に挿入し、支持部を介して紙管を片支持することができ、格別なテーブル等によって紙管を支持しなくてもよい。
【００１３】
また、ホルダに外フランジを設ければ、ホルダは、外フランジを紙管の端面に当接させ、外フランジを介して紙管を軸方向に円滑に押圧して駆動することができる。
【００１４】
【発明の実施の形態】
以下、図面を以って発明の実施の形態を説明する。
【００１５】
紙管の残糸除去装置は、相対向して配設するホルダ１１、ブロック体２１と、ホルダ１１、ブロック体２１に組み合わせるカッタ３１とを備えてなる（図１、図２）。ただし、ホルダ１１、ブロック体２１、カッタ３１は、内径Ｄa 、外径Ｄb の残糸Ｙ付きの紙管ＰＴを処理対象としている。
【００１６】
ホルダ１１は、外径Ｄ1 ≒Ｄa の円柱状の支持部１１ａと、支持部１１ａの後部に形成する外径Ｄ2 （ただし、Ｄa ＜Ｄ2 ≦Ｄb ）の外フランジ１１ｂとが一体に形成されている。ただし、支持部１１ａは、外径Ｄ1 ≦Ｄa に形成され、紙管ＰＴの内径Ｄa に適合するものとする。また、支持部１１ａの先端部は、テーパ状に切り欠かれており、ホルダ１１は、シリンダ１２のロッド１２ａに連結されている。
【００１７】
ブロック体２１は、内径Ｄ3 ≒Ｄb の開口部２１ａが軸方向に形成されており、開口部２１ａは、ホルダ１１に対面しない後面側がテーパ状に大径化されている。ただし、開口部２１ａは、内径Ｄ3 ＞Ｄb に設定され、紙管ＰＴの外径Ｄb に適合している。ブロック体２１の前面には、カッタ３１に対応して切欠き２１ｂが形成されている。なお、ホルダ１１、ブロック体２１は、同一直線上に相対向して配設されている。
【００１８】
カッタ３１は、円形の回転刃であって、ブラケット３１ａの先端部に回転自在に装着されている。ブラケット３１ａは、ホルダ１１側のシリンダ１２と平行に配設するシリンダ３２のロッド３２ａに連結されており、ブラケット３１ａ、カッタ３１は、ガイドレール３３を介し、紙管ＰＴの軸方向に直線的にガイドされている。
【００１９】
かかる紙管の残糸除去装置は、次のようにして作動する。
【００２０】
シリンダ１２を介してホルダ１１を十分後方に退避させ、シリンダ３２を介してカッタ３１を後退させる。次いで、残糸Ｙ付きの紙管ＰＴをホルダ１１、ブロック体２１の間に搬入し、シリンダ１２を伸長させてホルダ１１をブロック体２１に向けて僅かに前進させると（図２の実線）、ホルダ１１は、支持部１１ａを紙管ＰＴ内に挿入して紙管ＰＴを水平に片支持することができる。また、ホルダ１１は、シリンダ１２を介してさらに前進させることにより（図２の矢印Ｋ1 方向）、外フランジ１１ｂを介して紙管ＰＴをブロック体２１の開口部２１ａに軸方向に挿入することができる。
【００２１】
カッタ３１は、シリンダ３２を介し、後退状態の退避位置（図１、図２の実線）と、ブロック体２１の切欠き２１ｂに部分的に収納される前進位置（図２の二点鎖線）との間をホルダ１１上の紙管ＰＴの表面に沿って軸方向に往復駆動することができる。このとき、カッタ３１は、消極回転しながら紙管ＰＴ上の残糸Ｙの表層部分を切断し、紙管ＰＴ上に残留する残糸Ｙの厚さｔを最小に整えることができる。ただし、カッタ３１は、紙管ＰＴの直径方向に配設され、その刃先は、紙管ＰＴの表面に対し、厚さｔ相当の間隔を有するものとする。なお、カッタ３１によって切断された残糸Ｙは、紙管ＰＴから滑り落ち、図示しない回収ボックスに回収される。
【００２２】
ブロック体２１は、紙管ＰＴが開口部２１ａに挿入されると、開口部２１ａに紙管ＰＴだけを通し（図３の矢印Ｋ1 方向）、紙管ＰＴ上の残糸Ｙを紙管ＰＴ上から軸方向に抜き取るようにして押し出すことができる（同図の矢印Ｋ2 方向）。このとき、カッタ３１は、ホルダ１１による紙管ＰＴの進行速度の２倍以上の速度により退避位置と前進位置との間を繰返し往復移動し、ブロック体２１と紙管ＰＴとの相対移動によってブロック体２１の前面に厚く盛り上がる残糸Ｙを切断し（同図の二点鎖線）、ブロック体２１の前面の残糸Ｙを厚さｔに切り揃えることができる。そこで、紙管ＰＴは、カッタ３１によって残糸Ｙが最小の厚さｔに切り揃えられるから、残糸Ｙからの過大な張力を受けることがなく、残糸Ｙによって不用意に変形するおそれがない。
【００２３】
このようにしてホルダ１１をブロック体２１内にまで前進させると（図２の二点鎖線）、紙管ＰＴは、その全長がブロック体２１を貫通し、支持部１１ａから抜き取って回収することができる。また、紙管ＰＴ上の残糸Ｙは、ブロック体２１を介し、紙管ＰＴ上からすべて軸方向に抜き取られてシリンダ１２のロッド１２ａに掛かるから、それを切断して回収することができる。
【００２４】
以上の説明において、ホルダ１１、ブロック体２１は、互いに相対向して軸方向に相対移動すればよく、任意の一方または双方を駆動することができる。また、カッタ３１は、紙管ＰＴ上の残糸Ｙを最小の厚さｔに切り揃えることができる限り、回転刃以外の固定刃形式であってもよい。
【００２５】
【発明の効果】
以上説明したように、この発明によれば、相対向してホルダと開口部付きのブロック体とを配設し、カッタを組み合わせることによって、ブロック体は、ホルダを介して開口部に紙管を軸方向に挿入し、紙管上の残糸を一挙に除去する一方、カッタは、紙管上の残糸を最小の厚さに薄く切り揃えることができるから、残糸の除去処理時間を最小にすることができる上、紙管と残糸との双方を再利用可能に回収することができるという優れた効果がある。
【図面の簡単な説明】
【図１】  全体構成側面説明図
【図２】  図１の要部拡大説明図
【図３】  動作説明図
【符号の説明】
Ｄa …内径
Ｄb 、Ｄ2 …外径
ＰＴ…紙管
Ｙ…残糸
１１…ホルダ
１１ａ…支持部
１１ｂ…外フランジ
２１…ブロック体
２１ａ…開口部
２１ｂ…切欠き
３１…カッタ
【図１】
0004106674.tif 000002
【図２】
0004106674.tif 000003
【図３】
0004106674.tif 000004